(57)【要約】【課題】マスターターミナルはサテライトターミナルからの組み合わせレポート精算等の特定精算データの収集処理が終了するとインライン処理状態を自動的に解除し、上位装置からのアクセスに対し迅速に応答する。【解決手段】マスターターミナルのＣＰＵは、Ｓ１にて精算モードを判断し、Ｓ３にて組み合わせレポート精算の設定を判断し、Ｓ５にてＲＴＲ自動ＯＮ／ＯＦＦオプションのセットを判断すると、Ｓ７にて状態切替え手段はインライン処理状態の設定を自動的に行う。続いて、Ｓ８にて組み合わせレポートテーブルに従って各サテライトターミナルから組み合わせレポート精算のための精算データの収集を行う。そして、Ｓ９にて組み合わせレポート精算のための精算データの収集の終了を判断すると、Ｓ１０にて状態切替え手段はインライン処理状態から解除状態へ自動的に切替える。【選択図】      図５
2008059467.tif 000002
【特許請求の範囲】
【請求項１】
商品販売の登録処理を行う複数のサテライトターミナルと、この各サテライトターミナルを管理するマスターターミナルを、ネットワークを介して接続した商品販売管理システムにおいて、
前記マスターターミナルは、
前記各サテライトターミナルに対して特定精算データの収集や設定データのダウンロード等を行うとともに上位装置からのアクセスを拒否するインライン処理状態と、このインライン処理状態の解除状態を切替える状態切替え手段と、
この状態切替え手段がインライン処理状態から解除状態に切り替えることを外部操作によって行うか自動的に行うかを設定する設定手段を備え、
前記状態切替え手段は、前記設定手段が自動切替えを設定している状態で、前記各サテライトターミナルに対して特定精算データの収集処理を行いこの収集処理が終了すると、インライン処理状態から解除状態に自動的に切り替えることを特徴とする商品販売管理システム。
【請求項２】
設定手段は、さらに、状態切替え手段が解除状態からインライン処理状態に切り替えることを外部操作によって行うか自動的に行うかを設定することを特徴とする請求項１記載の商品販売管理システム。
【発明の詳細な説明】
【技術分野】
【０００１】
本発明は、商品販売の登録処理を行う複数のサテライトターミナルと、この各サテライトターミナルを管理するマスターターミナルを、ネットワークを介して接続した商品販売管理システムに関する。
【背景技術】
【０００２】
従来、商品販売管理システムとしては、商品販売の登録処理を行う複数のサテライトターミナルとこの各サテライトターミナルを管理するマスターターミナルを、ネットワークを介して接続し、各サテライトターミナルから転送される通信データと通信管理用データをマスターターミナルの記憶手段に記憶し、マスターターミナルでインラインシステムの稼動状況を調べるものが知られている（例えば、特許文献１参照）。
【０００３】
ところで、このような商品販売管理システムにおいて、マスターターミナルが、さらに、上位装置である、例えば店舗全体の商品販売を管理するストアコンピュータと呼ばれるホストコンピュータとネットワークを介して接続され、各サテライトターミナルから収集したデータを、ストアコンピュータからの要求に応じて転送することも行われる。
【０００４】
しかし、マスターターミナルが複数のサテライトターミナルから、例えば、精算データや点検データを収集するときにはインライン処理状態に設定してデータを収集するが、マスターターミナルがストアコンピュータからの要求に応じて収集データを転送する場合は、サテライトターミナルから精算データや点検データを収集していない、すなわち、インライン処理状態を解除した状態でなければできないようになっている。これは、マスターターミナルにおいて各サテライトターミナルからのデータ収集を確実に終了させてからでなければストアコンピュータへの収集データの転送ができないようにするためである。
【０００５】
このため、ＲＴＲと呼ばれるキーを設け、このＲＴＲキーを最初に操作するとインライン処理状態にしてストアコンピュータからのアクセスを拒否して各サテライトターミナルからの精算データや点検データの収集を可能にし、ＲＴＲキーを繰り返し操作するとインライン処理状態を解除してストアコンピュータからのアクセスを可能にし、ＲＴＲキーの操作によって２つの状態を交互に切替えるようにしている。
【特許文献１】特開平８−４４９５５号公報
【発明の開示】
【発明が解決しようとする課題】
【０００６】
ＲＴＲキーで２つの状態を交互に切替えるものでは、例えば、ＲＴＲキーの操作によりインライン処理状態にして各サテライトターミナルからの精算データを収集し、収集が終了したにも拘わらずＲＴＲキーの操作を忘れると、ストアコンピュータが何時までもマスターターミナルに対してアクセスができないという問題があった。特に、組合せレポート精算と呼ばれる、部門別、商品別、取引別などの各種登録データを組み合わせて精算レポートとして出力するために、例えば、１日の業務の終了後にマスターターミナルが各サテライトターミナルから精算データを収集する場合は、マスターターミナルにおいてデータの収集が終了すると、ストアコンピュータは店舗の売り上げ管理のためにその後直ぐにマスターターミナルから収集データを取り込みたい場合が多い。このような場合にオペレータによるＲＴＲキーの操作忘れのために取り込みができなくなるという問題があった。
【０００７】
本発明は、このような問題を解決するために為されたもので、マスターターミナルは各サテライトターミナルからの組合せレポート精算等の特定精算のデータの収集処理が終了するとインライン処理状態を自動的に解除することができ、これにより、上位装置からのアクセスに対し迅速に応答することができる商品販売管理システムを提供する。
【課題を解決するための手段】
【０００８】
本発明は、商品販売の登録処理を行う複数のサテライトターミナルと、この各サテライトターミナルを管理するマスターターミナルを、ネットワークを介して接続した商品販売管理システムにおいて、マスターターミナルは、各サテライトターミナルに対して特定精算データの収集や設定データのダウンロード等を行うとともに上位装置からのアクセスを拒否するインライン処理状態と、このインライン処理状態の解除状態を切替える状態切替え手段と、この状態切替え手段がインライン処理状態から解除状態に切り替えることを外部操作によって行うか自動的に行うかを設定する設定手段を備え、状態切替え手段は、設定手段が自動切替えを設定している状態で、各サテライトターミナルに対して特定精算データの収集処理を行いこの収集処理が終了すると、インライン処理状態から解除状態に自動的に切り替えることにある。
【発明の効果】
【０００９】
本発明によれば、マスターターミナルは各サテライトターミナルからの組合せレポート精算等の特定精算のデータの収集処理が終了するとインライン処理状態を自動的に解除することができ、これにより、上位装置からのアクセスに対し迅速に応答することができる。
【発明を実施するための最良の形態】
【００１０】
以下、本発明の一実施の形態を、図面を参照して説明する。  
図１は商品販売管理システムの構成を示すブロック図で、ネットワークを形成するＬＡＮ（ローカル・エリア・ネットワーク）１に、商品販売の登録処理を行う複数のサテライトターミナル２と、この各サテライトターミナル２を管理するマスターターミナル３を接続している。なお、前記マスターターミナル３はサテライトターミナル２と同様に商品販売の登録処理も行うようになっている。
【００１１】
また、前記ＬＡＮ１に、前記マスターターミナル３が各サテライトターミナル２を管理するに必要な情報や各サテライトターミナル２から収集したデータを、このマスターターミナル３と同じ状態で内部の記憶部に記憶してバックアップするバックアップマスターターミナル４及び前記マスターターミナル３が各サテライトターミナル２から収集したデータを集計するなどして店舗全体の売り上げ管理を行う上位装置としてのストアコンピュータ５を接続している。
【００１２】
前記ストアコンピュータ５はマスターターミナル３にアクセスし転送要求を行うことでこのマスターターミナル３が収集したデータの転送を受けるとともにマスターターミナル３や各サテライトターミナル２にアクセスし設定データ等のダウンロードを行うようになっている。
【００１３】
図２に示すように、前記マスターターミナル３は、制御部本体を構成するＣＰＵ（中央処理ユニット）３１、このＣＰＵ３１が各部の制御やデータ処理を行うプログラムデータ等を格納したＲＯＭ（リード・オンリー・メモリ）３２、商品販売の入力処理を行ったデータを売上げデータとして各種形式で登録するメモリや演算や表示やプリントなどの各種データ処理に必要なメモリや前記各サテライトターミナル２から収集したデータを保管するメモリなど各種メモリを設けたＲＡＭ（ランダム・アクセス・メモリ）３３を設けている。
【００１４】
また、前記マスターターミナル３は、前記ＬＡＮ１を介して前記各サテライトターミナル２や前記ストアコンピュータ５と通信を行う場合にその制御を行う通信コントローラ３４、キーボード３５及びモード設定鍵スイッチ３６を制御し前記キーボード３５からキー信号を取り込むとともに前記モード設定鍵スイッチ３６からモード設定信号を取り込むキーボードコントローラ３７、ディスプレイ３８を制御しこのディスプレイ３８に表示動作を行わせる表示コントローラ３９、プリンタ４０を制御しこのプリンタ４０に印刷動作を行わせるプリンタコントローラ４１及びスキャナ４２を制御しこのスキャナ４２にバーコードの読取り動作を行わせるスキャナコントローラ４３を設けている。
【００１５】
前記ＣＰＵ３１、ＲＯＭ３２、ＲＡＭ３３、通信コントローラ３４、キーボードコントローラ３７、表示コントローラ３９、プリンタコントローラ４１及びスキャナコントローラ４３は互いにバスライン４４を介して電気的に接続されている。
【００１６】
前記キーボード３５は、例えば、図３に示すように、置数入力のためのテンキー３５ａ、入力データをクリアするためのクリアキー３５ｂ、前記テンキー３５ａと組み合わせて店舗独自の商品コードを入力するためのＰＬＵキー３５ｃ、部門別登録のための複数の部門キー３５ｄ、単品登録のための複数の商品キー３５ｅ、合計金額算出に使用する小計キー３５ｆ、登録の締めに使用される預／現計キー３５ｇ等を設けている。
【００１７】
前記モード設定鍵スイッチ３６は、図４に示すように、鍵穴３６ａに鍵を差し込んで回すことで、休止モード、設定モード、登録モード、点検モード、精算モードの各種モード設定を行う鍵スイッチである。
【００１８】
なお、前記マスターターミナル３は、使用しない状態では休止モードに設定され、商品販売の登録を行うときには登録モードに設定される。また、前記ストアコンピュータ５からのデータ設定や自己のキーボード３５からのデータ設定等を行うときには設定モードに設定される。
【００１９】
また、前記各サテライトターミナル２が登録したデータや自己が登録したデータを点検する場合は点検モードに設定され、前記各サテライトターミナル２が登録したデータや自己が登録したデータを精算データとして収集する場合は精算モードに設定される。なお、点検モードとは、各サテライトターミナル２やマスターターミナル３が登録している途中でデータを点検するモードであり、精算モードとは、各サテライトターミナル２及びマスターターミナル３が登録業務を終了してそれぞれ個々に精算を終了した後に前記マスターターミナル３が自己も含めて各サテライトターミナル２から精算データを収集するモードである。
【００２０】
前記マスターターミナル３のＣＰＵ３１は、精算モード時において、前記各サテライトターミナル２に対して特定精算データである組み合わせレポート精算データの収集や設定データのダウンロード等を行うとともに前記ストアコンピュータ５からのアクセスを拒否するインライン処理状態と、このインライン処理状態の解除状態を交互に切替える状態切替え手段を設けている。
【００２１】
また、前記キーボード３５には、ＲＴＲキー３５ｈが設けられている。このＲＴＲキー３５ｈは、前記状態切替え手段に、前記各サテライトターミナル２に対して特定精算データである組み合わせレポート精算データの収集や設定データのダウンロード等を行うとともに前記ストアコンピュータ５からのアクセスを拒否するインライン処理状態と、このインライン処理状態の解除状態との切替えを交互に行わせるための外部操作キーである。
【００２２】
すなわち、前記状態切替え手段が解除状態を選択しているときに、前記モード設定鍵スイッチ３６で精算モードを設定して前記ＲＴＲキー３５ｈを操作すると、前記状態切替え手段は解除状態からインライン処理状態に切替える。この状態で前記ＲＴＲキー３５ｈを再度操作すると、前記状態切替え手段はインライン処理状態から解除状態に切替える。この状態で前記ＲＴＲキー３５ｈを再々度操作すると、前記状態切替え手段は解除状態からインライン処理状態に切替える。このように、前記ＲＴＲキー３５ｈの繰り返し操作によって前記状態切替え手段はインライン処理状態とこのインライン処理状態の解除状態を交互に切替えるようになっている。
【００２３】
前記ディスプレイ３８は、登録モードにて商品販売の登録を行っている時には、登録した商品個々の商品名や単価や数量等を表示し、前記小計キー３５ｆの操作によって登録した合計金額を表示し、顧客から受け取った金額をテンキー３５ａで入力した後の預／現計キー３５ｇの操作によって算出されたつり銭金額を表示するようになっている。
【００２４】
前記プリンタ４０は、登録モードにて商品販売の登録を行っている時には、登録した商品個々の商品名や単価や数量等をレシート用紙に印刷し、さらに、合計金額、顧客からの預かり金額、つり銭金額をレシート用紙に順次印刷し、最後に用紙をカットすることでレシートとして発行するようになっている。
【００２５】
前記スキャナ４２は、登録モードにて商品に印刷等によって付されているバーコードを読取るものである。前記ＣＰＵ３１は、スキャナ４２が読取ったバーコードに基づいてＲＡＭ３３に格納されている商品情報から商品を特定し、その商品名、単価に基づいて商品販売の登録を行う。  
前記スキャナ４２やキーボード３５を使用して商品販売の登録データはＲＡＭ３３の登録用メモリ部に商品別、部門別、取引別等に分類されて累計される。
【００２６】
前記マスターターミナル３のＣＰＵ３１は、前記モード設定鍵スイッチ３６で設定モードを設定し、この状態で前記ＲＴＲキー３５ｈを操作することで、前記状態切替え手段によるインライン処理状態とこのインライン処理状態の解除状態の交互の切替えを、前記ＲＴＲキー３５ｈの操作で行うか、自動的に行うか設定する設定手段を設けている。また、前記ディスプレイ３８にＲＴＲ自動ＯＮ／ＯＦＦ表示ランプ３８ａを設けている。
【００２７】
そして、設定モードにおいて前記ＲＴＲキー３５ｈを操作して前記設定手段が状態の自動切替えを設定すると前記ＲＴＲ自動ＯＮ／ＯＦＦ表示ランプ３８ａが点灯し、前記ＲＴＲキー３５ｈを再操作して前記設定手段がＲＴＲキー操作による状態の切替えを設定すると前記ＲＴＲ自動ＯＮ／ＯＦＦ表示ランプ３８ａが滅灯する。
【００２８】
従って、操作者は前記ＲＴＲ自動ＯＮ／ＯＦＦ表示ランプ３８ａの点灯、滅灯によって前記状態切替え手段によるインライン処理状態と、解除状態の切替えが自動設定されているかＲＴＲキー操作に設定されているかを確認できることになる。
【００２９】
前記ＲＴＲキー３５ｈの操作で前記設定手段が自動切替えを設定したときには、精算モードにおいて前記状態切替え手段がインライン処理状態を選択していなければ前記状態切替え手段は自動的に解除状態からインライン処理状態に切替える。そして、前記マスターターミナル３が前記各サテライトターミナル２から特定精算データである組み合わせレポート精算データの収集を行い、この収集が終了すると前記状態切替え手段は自動的にインライン処理状態から解除状態に切替える。
【００３０】
また、前記ＲＴＲキー３５ｈの操作で前記設定手段がＲＴＲキー操作による切替えを設定したときには、精算モードにおいて前記状態切替え手段がインライン処理状態を選択していなければ前記ＲＴＲキー３５ｈの操作で前記状態切替え手段は解除状態からインライン処理状態に切替える。そして、前記ＲＴＲキー３５ｈの再操作で前記状態切替え手段はインライン処理状態から解除状態に切替える。
【００３１】
以上は前記マスターターミナル３の構成について述べたが、前記各サテライトターミナル２もＲＴＲキー３５ｈ、状態切替え手段、設定手段を除くと基本的な構成は同じである。
【００３２】
図５は前記マスターターミナル３のＣＰＵ３１による組み合わせレポート精算データの収集処理を示す流れ図で、先ず、Ｓ１にて、モードが精算モードかそれ以外のモードかを判断する。これは、前記モード設定鍵スイッチ３６によるモード設定状態を判断することで行う。そして、精算モード以外であれば、Ｓ２にて、精算モード以外の他のモード処理を実行する。
【００３３】
Ｓ１にて、精算モードであることが判断されると、続いて、Ｓ３にて、組み合わせレポート精算か否かを判断する。これは、キーボード３５のキー操作によって組み合わせレポート精算が設定されているか他の精算が設定されているかを判断する。他の精算が設定されているときには、Ｓ４にて、他の精算処理を行う。
【００３４】
Ｓ３にて、組み合わせレポート精算が設定されていることを判断すると、続いて、Ｓ５にて、ＲＴＲ自動ＯＮ／ＯＦＦオプションがセットされているか否かを判断する。すなわち、前記状態切替え手段によるインライン処理状態と解除状態の切替えが自動的に行うようにセットされているか否かを判断する。
【００３５】
ＲＴＲ自動ＯＮ／ＯＦＦオプションがセットされていない、すなわち、前記状態切替え手段によるインライン処理状態と解除状態の切替えが前記ＲＴＲキー３５ｈの操作で行うように設定されているときには、Ｓ６にて、ＲＴＲキー３５ｈの操作に基づく組み合わせレポート精算処理を行う。
【００３６】
このときには、状態切替え手段によるインライン処理状態の設定を操作者によるＲＴＲキー３５ｈの操作によって行い、このインライン処理状態で組み合わせレポートテーブルに従って各サテライトターミナル２から組み合わせレポート精算のための精算データの収集を行い、精算データの収集を終了すると操作者はＲＴＲキー３５ｈを再操作してインライン処理状態から解除状態に切替えることになる。
【００３７】
Ｓ５にて、ＲＴＲ自動ＯＮ／ＯＦＦオプションがセットされている、すなわち、状態切替え手段によるインライン処理状態と解除状態との切替えを自動的に行うことが設定されているときには、精算モードにて組み合わせレポート精算を設定することで、Ｓ７にて、状態切替え手段によるインライン処理状態の設定を自動的に行う。すなわち、状態切替え手段は、今の状態が解除状態であればインライン処理状態に切替え、すでにインライン処理状態になっていれば状態をそのままにする。また、ＲＴＲ自動ＯＮ／ＯＦＦオプションがセットされているときには、前記ディスプレイ３８のＲＴＲ自動ＯＮ／ＯＦＦ表示ランプ３８ａが点灯する。
【００３８】
続いて、Ｓ８にて、組み合わせレポートテーブルに従って各サテライトターミナル２から組み合わせレポート精算のための精算データの収集を行う。そして、Ｓ９にて、組み合わせレポート精算のための精算データの収集が終了したかを判断し、終了を判断すると、Ｓ１０にて、状態切替え手段はインライン処理状態から解除状態へ自動的に切替える。
【００３９】
このような構成においては、マスターターミナル３は、モード設定鍵スイッチ３６で設定モードを設定し、この状態でＲＴＲキー３５ｈを操作することで、状態切替え手段によるインライン処理状態とこのインライン処理状態の解除状態の双方向切替えを自動的に行うことを設定する。この設定によりディスプレイ３８のＲＴＲ自動ＯＮ／ＯＦＦ表示ランプ３８ａが点灯する。これにより、操作者はインライン処理状態と解除状態の切替えが自動切替えに設定されていることを確認できる。
【００４０】
そして、例えば、１日の登録処理が終了すると、マスターターミナル３及び各サテライトターミナル２は、モード設定鍵スイッチ３６で精算モードを設定して精算業務を開始する。
【００４１】
マスターターミナル３及び各サテライトターミナル２において個々に登録データの精算処理が終了すると、マスターターミナル３は、各サテライトターミナル２から組み合わせレポートテーブルに従った組み合わせレポート精算のための精算データの収集を行う操作を行う。マスターターミナル３においては状態切替え手段にてインライン処理状態を自動的に設定し、このインライン処理状態において各サテライトターミナル２から精算データの収集を開始する。このインライン処理状態では、ストアコンピュータ５からのアクセスが行われてもマスターターミナル３はアクセスを拒否することになる。
【００４２】
こうして、マスターターミナル３は各サテライトターミナル２からの精算データの収集を確実に実行する。そして、精算データの収集が終了すると、マスターターミナル３は状態切替え手段にてインライン処理状態を自動的に解除状態に切替える。こうして、マスターターミナル３のインライン処理状態は自動的に解除される。これにより、操作者のキー操作忘れによってインライン処理状態が何時までも解除されないという事態は無くなる。
【００４３】
インライン処理状態が解除されると、以降はストアコンピュータ５からのアクセスが行われると、マスターターミナル３は各サテライトターミナル２から収集し保管している組み合わせレポート精算のためのデータ及び自己の登録データが得た組み合わせレポート精算のためのデータをストアコンピュータ５へ転送する。こうして、ストアコンピュータ５は店舗内の各種の売上げデータを迅速に集計することができる。
【００４４】
また、状態切替え手段によるインライン処理状態と解除状態の切替えを手動で行いたい場合は、モード設定鍵スイッチ３６で設定モードを設定し、この状態でＲＴＲキー３５ｈを操作することで、状態切替え手段によるインライン処理状態と解除状態の双方向の切替えをＲＴＲキー３５ｈで行うことを設定する。この設定によりディスプレイ３８のＲＴＲ自動ＯＮ／ＯＦＦ表示ランプ３８ａが滅灯する。これにより、操作者は状態切替え手段によるインライン処理状態と解除状態の双方向の切替えがキー操作で行う設定になっていることを知ることができる。
【００４５】
このときには、例えば、１日の登録処理が終了すると、モード設定鍵スイッチ３６で精算モードを設定して精算業務を開始する。この精算業務において、マスターターミナル３が各サテライトターミナル２から、組み合わせレポートテーブルに従った組み合わせレポート精算のための精算データの収集を行うときには、ＲＴＲキー３５ｈを操作して状態切替え手段に解除状態からインライン処理状態への切替えを行わせる。このインライン処理状態において各サテライトターミナル２から精算データの収集を行い、精算データの収集を終了すると、操作者はＲＴＲキー３５ｈを再操作して状態切替え手段にインライン処理状態から解除状態への切替えを行わせる。
【図面の簡単な説明】
【００４６】
【図１】本発明の一実施の形態に係る商品販売管理システムの構成を示すブロック図。
【図２】同実施の形態におけるマスターターミナルの構成を示すブロック図。
【図３】同実施の形態におけるマスターターミナルのキーボードの構成を示す図。
【図４】同実施の形態におけるマスターターミナルのモード設定鍵スイッチの構成を示す図。
【図５】同実施の形態におけるマスターターミナルのＣＰＵによる組み合わせレポート精算データの収集処理を示す流れ図。
【符号の説明】
【００４７】
２…サテライトターミナル、３…マスターターミナル、５…ストアコンピュータ（上位装置）、３１…ＣＰＵ、３２…ＲＯＭ、３３…ＲＡＭ、３４…通信コントローラ。
【図１】
2008059467.tif 000003
【図２】
2008059467.tif 000004
【図３】
2008059467.tif 000005
【図４】
2008059467.tif 000006
【図５】
2008059467.tif 000007